(57)【要約】      （修正有）【課題】身体における任意の位置の温度調整を可能とし、かつ、簡便な構造で製作が容易な保冷用または保温用の装具と、その装着方法を提供すること。【解決手段】シート状材料を接合または縫合することにより、袋状の収納部３を有する面状体を作製し、収納部に保冷剤や保温剤を収納して、身体に装着する。面状体に、ボタンやマジックテープ（登録商標）などの係止用部材５を設けることで、異なる形状の保冷用または保温用の装具を複数組み合わせて、装着する部位に形状を合わせることが可能である。また、保冷剤を用いる場合は、凍結させる際に、装着する部位に適した形状に、成形することも可能である。【選択図】図１
2009138285.tif 000002
【特許請求の範囲】
【請求項１】
シート状の材料を縫合または接合することにより、袋状に形成された収納部を有する面状体と、前記面状体に設けられた係止用部材と、前記収納部に収納された保冷剤又は保温剤を有することを特徴とする、保冷用または保温用の装具。
【請求項２】
複数の前記保冷用または保温用の装具を、前記係止用部材により、接合して装着することを特徴とする、請求項１に記載の保冷用または保温用の装具の装着方法。
【発明の詳細な説明】
【技術分野】
【０００１】
本発明は、暑熱や寒気を避けるために、身体に保冷剤や保温剤を装着する装具と、その装着方法に関わるものである。
【背景技術】
【０００２】
炎天下での作業では、空調機などが効果的に使用できないため、屋内での作業に比較すると、体調を最適に維持するのが困難で、作業時間などに多大の制約を来すことが常である。また、冬季の屋外作業においては、暑熱を避ける場合と異なり、厚着することで、寒気をある程度避けることは可能であるが、それだけでは限界がある。
【０００３】
これには、身体や衣服に装着できる軽量の保温具や保冷具があれば、利用価値が高いと考えられる。そのような製品の例として古くからあるものに懐炉があり、近年では、鉄粉の酸化に伴う発熱を利用した使い捨て懐炉がある。一方で、保冷剤として、近年多用されている、ポリアクリル酸ナトリウムなどの吸水性高分子材料に水分を含有させ、水分を凍結させた材料などが用いられている。
【０００４】
しかしながら、これらの保温剤や保冷剤は、利用者の身体に装着するための構造が考慮されたものではなく、衣服のポケットに収納するか、粘着テープなどで、貼り付けて使用するしかないのが実情である。
【０００５】
この対策の一環として、特許文献１には、温度調節具を収納可能な首掛けタオルが開示されている。しかしながら、この首掛けタオルは、付属のフードで保温性を高めることが考慮されているものの、使用可能な身体の部位が首近傍に限定されたものであり、汎用性の観点から改良の余地がある。
【０００６】
【特許文献１】特開２００５−２２０５０２号公報
【発明の開示】
【発明が解決しようとする課題】
【０００７】
従って、本発明の課題は、前記の保温剤や保冷剤を用いて、身体における任意の位置の温度調整を可能とし、かつ、簡便な構造で製作が容易な保冷用または保温用の装具と、その装着方法を提供することにある。
【課題を解決するための手段】
【０００８】
本発明は、前記の課題を解決するため、装具の構造を再検討した結果得られた、保冷用または保温用の装具であり、シート状の材料を縫合または接合することにより、袋状に形成された収納部を有する面状体と、前記面状体に設けられた係止用部材と、前記収納部に収納された保冷剤または保温剤を有することを特徴とする。
【０００９】
また、本発明の保冷用または保温用の装具は、前記の係止用部材を用いて、複数の装具を接合して、身体の所要の部位に装着して使用できることも特徴である。この場合、組み合わせる装具の形状を、適宜変えることにより、任意の身体の部位に装着可能となり、利便性が向上する。
【００１０】
また、本発明の保冷用または保温用の装具に、保冷剤を収納して、保冷用の装具として用いる場合は、装着する部位の形状に応じて、保冷剤の冷却の際に、成形することができるのも本発明の特徴である。
【発明の効果】
【００１１】
本発明の保冷用または保温用の装具は、前記のような構造であることから、市販の保冷剤や保温剤の形状に合わせた収納部を、複数形成することが可能であり、身体の必要な位置に、必要な個数の保冷剤や保温剤を装着できる。
【発明を実施するための最良の形態】
【００１２】
次に本発明の実施の形態について説明する。本発明の保冷用または保温用の装具は、ポリエチレンなどの高分子材料からなるシートや、各種天然繊維や合成繊維からなる布を用いて作製することが可能である。高分子材料のシートを用いた場合、収納部を形成する際に、その材質によっては、超音波加熱法などによる熱融着で、シートを袋状に接合することができる。また、布を用いる場合は、一般的な縫製で袋状の収納部を形成できる。
【００１３】
一方で、本発明の保冷用または保温用の装具においては、保冷剤を用いる場合も保温剤を用いる場合も、それらが直接身体に接触すると、温度差が大き過ぎて、種々の障害が予想され、シート状の材料がある程度の厚みを具備し、熱絶縁機能を発現することが望ましい。
【００１４】
このような観点から材料の適否を考慮すると、高分子材料のシートでは、ある程度以上の厚さになると、一般的な布よりも可撓性が小さい場合が殆どであり、取扱い性が低下する。これに対し、布では、構成要素である繊維が、直径数μｍないし数十μｍと細いため、厚地の布でも取扱い性に支障を来すことがない。従って、本発明に用いるシート状材料としては、厚地の布が好ましい。
【００１５】
また、本発明の保冷用または保温用の装具における係止用部材としては、種々の市販製品を用いることができる。例として、ボタン、スナップボタン、フック、マジックテープ（登録商標）などが挙げられ、特に面同士の接合にはマジックテープ（登録商標）が適している。
【実施例１】
【００１６】
次に本発明の具体的な例について、図を参照しながら説明する。図１は、本発明の保冷用または保温用の装具に係る第一の実施例を示す図で、図１（ａ）は正面図、図１（ｂ）は側面図である。図１において、１は保冷用または保温用の装具、２は縫合部、３は収納部、４は収納部の開口部、５は係止用部材である。
【００１７】
ここに示した例は、タオル地からなり、折り畳んで縫合することにより、袋状の収納部３を形成していて、縫合していない側の辺はそのまま収納部の開口部４として用いることができる。また、係止用部材５にはスナップボタンを用いている。収納部３には、使い捨て懐炉のような保温剤、または冷却した保冷剤を収納する。この例は、主に首や腰などの部位に装着される。
【実施例２】
【００１８】
図２は、本発明の保冷用または保温用の装具に係る第二の実施例を示す図で、図２（ａ）は正面図、図２（ｂ）は側面図である。図２において、６は保冷用または保温用の装具、７は縫合部、８は収納部、９は収納部の開口部、１０は係止用部材である。
【００１９】
この例においても、第一の実施例の場合と同様に、保冷用または保温用の装具６はタオル地で構成される。第一の実施例と異なるところは、収納部８が２列形成され、縫合部７と対向する側の辺に、収納部の開口部９が形成されていることである。この例は主に胸、背などの、面積が広い部位に装着される。
【００２０】
なお、図２における縫合部７のうち、縦方向に設けられたものを省略すれば、収納できる保冷剤または保温剤の形状や数の変更に対応できる他、収納する横方向の位置についても容易に変更できるので、利便性が増加することがある。
【実施例３】
【００２１】
図３は、本発明の保冷用または保温用の装具を複数組み合わせて、身体の前後に装着した第一の例を示す図である。図３において、１ａ、１ｂは第一の実施例の保冷用または保温用の装具、６ａ、６ｂは第二の実施例の保冷用または保温用の装具である。ここに示したように、本発明の保冷用または保温用の装具は、異なる形状のものに予め係止用部材を設けておくことで、身体の任意の部位に装着することができる。
【００２２】
そして、肩や首の周囲に装着する場合、使い捨て懐炉のようにそれ自体が可撓性を有するものであれば、装着に支障がないが、保冷剤のように凍結して用いる場合は、肩や首などの、装着する部位に対応させた曲率を付与すると、身体との接触面積を確保できるので、冷却の効率向上に繋がるばかりでなく、嵩張ることがなくなるので、有用性が増加する。
【実施例４】
【００２３】
図４は、本発明の保冷用または保温用の装具を複数組み合わせて、身体の前後に装着した第二の例を示す図である。図４において、１ｃは第一の実施例の保冷用または保温用の装具で、第三の実施例で用いたものよりも全長を長くしている。６ｃは第二の実施例の保冷用または保温用の装具である。
【００２４】
本実施例においては、第一の実施例の保冷用または保温用の装具１ｃを首に巻き付け、
第二の実施例の保冷用または保温用の装具６ｃを、図示していない係止用部材を用いて、背中の部分に垂らして装着しているので、第三に実施例に示した装着形態よりも肩の部分で、ずり落ちることがないのが特長である。
【００２５】
以上に説明したように、本発明によれば、簡便に作れる保冷用または保温用の装具を得ることができる。これによって、夏季や冬季の屋外作業における体温維持が容易となり、作業性向上に有用である。なお、本発明は、前記実施例に限定されるものではなく、本発明の要旨を逸脱しない範囲の設計変更があっても、本発明に含まれる。即ち、本技術分野における通常の知識を有する者であれば想到し得る、各種変形、修正を含むことは勿論である。
【図面の簡単な説明】
【００２６】
【図１】本発明の保冷用または保温用の装具に係る第一の実施例を示す図、図１（ａ）は正面図、図１（ｂ）は側面図。
【図２】本発明の保冷用または保温用の装具に係る第二の実施例を示す図、図２（ａ）は正面図、図２（ｂ）は側面図。
【図３】複数の本発明の保冷用または保温用の装具を組み合わせて、身体の前後に装着した第一の例を示す図。
【図４】数の本発明の保冷用または保温用の装具を組み合わせて、身体の前後に装着した第二の例を示す図。
【符号の説明】
【００２７】
１，６            保冷用または保温用の装具
１ａ，１ｂ，１ｃ  第一の実施例の保冷用または保温用の装具
６ａ，６ｂ，６ｃ  第二の実施例の保冷用または保温用の装具
２，７            縫合部
３，８            収納部
４，９            収納部の開口部
５，１０          係止用部材
【図１】
2009138285.tif 000003
【図２】
2009138285.tif 000004
【図３】
2009138285.tif 000005
【図４】
2009138285.tif 000006